(57)【要約】【課題】  テレビジョン装置の表示画面において、省エネモードの画面から明るい画面に移行した後、再び、元の暗い省エネモードの画面に、なるべくユーザに違和感無く戻るように、モード移行処理を制御する画質調整装置を提供する。【解決手段】    画像ディスプレイに表示される画像内容に基づいて、第１の輝度の表示様態である省エネモードから前記第１の輝度より高い第２の輝度の表示様態である明表示モードへの移行動作の実行要否と、前記明表示モードから前記省エネモードへの復帰動作の実行要否とを判定する省エネモード移行／復帰判定器と、前記省エネモード移行／復帰判定器により前記移行動作、または、前記復帰動作が実行要と判定された場合に、前記画像ディスプレイのバックライト輝度の時間的変化を制御するバックライト輝度変化時系列制御器とを備える。【選択図】        図１
2011013422.tif 000002
【特許請求の範囲】
【請求項１】
画像ディスプレイに表示される画像内容に基づいて、第１の輝度の表示様態である省エネモードから前記第１の輝度より高い第２の輝度の表示様態である明表示モードへの移行動作の実行要否と、前記明表示モードから前記省エネモードへの復帰動作の実行要否とを判定する省エネモード移行／復帰判定器と、
前記省エネモード移行／復帰判定器により前記移行動作、または、前記復帰動作が実行要と判定された場合に、前記画像ディスプレイのバックライト輝度の時間的変化を制御するバックライト輝度変化時系列制御器とを備えた画質調整装置。
【請求項２】
画像の画質を決定する画質要因パラメータと前記バックライト輝度との対応関係を評価する画質要因パラメータ評価基準に基づいて、前記バックライト輝度変化時系列制御器により制御された前記バックライト輝度に応じて、画像の画質の時間的変化を制御する画質時系列変化制御器を備えた請求項１記載の画質調整装置。
【請求項３】
前記画質時系列変化制御器は、前記バックライト輝度変化時系列制御器により制御された前記バックライト輝度に応じて、画像の物理的輝度を決定するガンマカーブの時間的変化を制御するガンマカーブ時系列変化制御器を備えた請求項２記載の画質調整装置。
【請求項４】
前記画質時系列変化制御器は、前記バックライト輝度変化時系列制御器により制御された前記バックライト輝度に応じて、画像の低輝度領域の特性を決定する黒レベルの時間的変化を制御する黒レベル時系列変化制御器を備えた請求項２記載の画質調整装置。
【請求項５】
前記画質時系列変化制御器は、前記バックライト輝度変化時系列制御器により制御された前記バックライト輝度に応じて、画像の明表示部分と暗表示部分との関係を決定するコントラストの時間的変化を制御するコントラスト時系列変化制御器を備えた請求項２記載の画質調整装置。
【請求項６】
前記画質時系列変化制御器は、前記バックライト輝度変化時系列制御器により制御された前記バックライト輝度に応じて、画像の輪郭やザラつきを決定するシャープネスの時間的変化を制御するシャープネス時系列変化制御器を備えた請求項２記載の画質調整装置。
【請求項７】
前記画質時系列変化制御器は、前記バックライト輝度変化時系列制御器により制御された前記バックライト輝度に応じて、色温度の時間的変化を制御する色温度時系列変化制御器を備えた請求項２記載の画質調整装置。
【請求項８】
前記画質時系列変化制御器は、前記バックライト輝度変化時系列制御器により制御された前記バックライト輝度に応じて、色の飽和度を決定する色の濃さの時間的変化を制御する色の濃さ時系列変化制御器を備えた請求項２記載の画質調整装置。
【請求項９】
前記画質時系列変化制御器は、前記バックライト輝度変化時系列制御器により制御された前記バックライト輝度に応じて、色相を決定する色合いの時間的変化を制御する色合い時系列変化制御器を備えた請求項２記載の画質調整装置。
【請求項１０】
前記画像ディスプレイの周囲の照度を計測し、この照度を前記省エネモード移行／復帰判定器に出力する周囲照度センサを備え、前記省エネモード移行／復帰判定器は、前記周囲照度センサから出力された前記照度に応じて、前記省エネモードから前記明表示モードへの移行動作の実行要否と、前記明表示モードから前記省エネモードへの復帰動作の実行要否とを判定する請求項１から９記載の画質調整装置。
【請求項１１】
画像の輝度信号レベルの分布を類型化した輝度分布パタンに基づいて、前記画像ディスプレイから出力される画像の輝度信号レベルの分布が属する前記輝度分布パタンを判定する輝度信号パタン判定器を備え、
前記省エネモード移行／復帰判定器は、前記輝度信号パタン判定器により判定された前記輝度分布パタンに応じて、前記省エネモードから前記明表示モードへの移行動作の実行要否と、前記明表示モードから前記省エネモードへの復帰動作の実行要否とを判定する請求項１から９記載の画質調整装置。
【請求項１２】
前記画像ディスプレイに表示される画像内容が含む電子番組表に基づいて、前記画像ディスプレイに表示されている画像の番組ジャンルを判定する番組ジャンル判定器を備え、
前記省エネモード移行／復帰判定器は、前記番組ジャンル判定器により判定された前記番組ジャンルに応じて、前記省エネモードから前記明表示モードへの移行動作の実行要否と、前記明表示モードから前記省エネモードへの復帰動作の実行要否とを判定する請求項１から９記載の画質調整装置。
【請求項１３】
前記画像ディスプレイに表示される画像内容の時間的変化を示すイベントを検出するイベント検出器を備え、
前記省エネモード移行／復帰判定器は、前記イベント検出器により判定された前記イベントに応じて、前記省エネモードから前記明表示モードへの移行動作の実行要否と、前記明表示モードから前記省エネモードへの復帰動作の実行要否とを判定する請求項１から９記載の画質調整装置。
【請求項１４】
前記イベント検出器は、前記画像ディスプレイに表示される画像内容から、一定の性質が保たれている表示場面が継続する第１のシーンを認識し、この第１のシーンと異なる性質が保たれている表示場面の第２のシーンに変化したことを検出するシーンチェンジ検出器を備え、
前記省エネモード移行／復帰判定器は、前記シーンチェンジ検出器により検出された前記第１のシーンから前記第２のシーンへの変化に応じて、前記省エネモードから前記明表示モードへの移行動作の実行要否と、前記明表示モードから前記省エネモードへの復帰動作の実行要否とを判定する請求項１３記載の画質調整装置。
【請求項１５】
前記イベント検出器は、前記画像ディスプレイに表示される画像内容と、この画像内容に伴う音声情報とに基づいて、番組のハイライトシーンを検出するハイライトシーン検出器を備え、
前記省エネモード移行／復帰判定器は、前記ハイライトシーン検出器により検出された前記ハイライトシーンに応じて、前記省エネモードから前記明表示モードへの移行動作の実行要否と、前記明表示モードから前記省エネモードへの復帰動作の実行要否とを判定する請求項１３記載の画質調整装置。
【請求項１６】
前記イベント検出器は、前記画像ディスプレイに表示される画像内容に対するユーザ操作を検出するユーザ操作検出器を備え、
前記省エネモード移行／復帰判定器は、前記ユーザ操作検出器により検出された前記ユーザ操作に応じて、前記省エネモードから前記明表示モードへの移行動作の実行要否と、前記明表示モードから前記省エネモードへの復帰動作の実行要否とを判定する請求項１３記載の画質調整装置。
【請求項１７】
前記イベント検出器は、前記画像ディスプレイに表示される画像内容から、番組からコマーシャルへの移行、または、コマーシャルから番組への移行を検出するコマーシャル開始・終了検出器を備え、
前記省エネモード移行／復帰判定器は、前記コマーシャル開始・終了検出器により検出された前記番組からコマーシャルへの移行、または、コマーシャルから番組への移行に応じて、前記省エネモードから前記明表示モードへの移行動作の実行要否と、前記明表示モードから前記省エネモードへの復帰動作の実行要否とを判定する請求項１３記載の画質調整装置。
【発明の詳細な説明】
【技術分野】
【０００１】
本発明は、テレビジョン装置により表示される画像の画質調整を行なう画質調整装置に関する。
【背景技術】
【０００２】
地球環境に配慮した省エネルギー化技術の開発が重要になってきており、一般家庭で使用する種々の家電についても、「省エネ家電」普及のため、産官一致した取り組みが進んでいる。このような背景の中で、家庭内のテレビジョン装置が表示する画面にも、徐々に、省エネモードが導入され始めている。現在、その省エネモードの実現方式に関する技術開発が加速されてきており、近い将来には、テレビジョン装置を視聴するユーザは、省エネモードで表示された画面を、通常、視聴するようになるものと考えられる。
【０００３】
従来、家庭内のテレビジョン装置が表示する画面の画質を制御することにより、省エネルギー化を図る技術として、特許文献１に記載された映像表示装置が開示されている。この映像表示装置は、図２に示すように、装置周囲の明るさ（照度）を測定する周囲照度センサ２０と、映像信号の平均輝度を算出する輝度信号平均値算出器２１と、装置周囲の明るさ及び映像信号の平均輝度に従って、バックライト輝度切替器23とガンマカーブ切替器２４とを最適に調整するように制御する条件判定器２２とによって構成されている。従来の技術は、以上のように構成されているので、放送番組の制作者側が規定した画像を、家庭内の周囲の明るさに適合する適切な明るさで表示することができるようにしたものである。
【先行技術文献】
【特許文献】
【０００４】
【特許文献１】特開２００７−１７１２５８号公報
【発明の概要】
【発明が解決しようとする課題】
【０００５】
省エネモードで表示された画面は、概して、暗い画像となるため、普通のユーザは、この暗い画像を好まないという問題点が、従来の我々の研究から判明している。このため、ユーザが、どうしても見たいシーンや、大切なシーンは、元の明るい画面（明表示画面）で見たいという要求が出てくるものと考えられる。すなわち、これらのシーンのときだけは、省エネモードではない元の画面に、自動的に移行する機能が求められる。
【０００６】
このような自動移行機能は、ユーザが、どうしても見たいシーンや、大切なシーンを自動的に検出するシーン検出処理と、その検出に基づいて、省エネモードの画面から明るい明表示モードの画面へ実際に移行するモード移行処理とにより、実現することができる。このモード移行処理における移行過程においては、画質を左右するパラメータであるガンマカーブ、黒レベル、コントラストなどの各画質要因が、適切な関係を保ちつつ移行するように、モード移行処理を制御するという技術が必要となる。さらに、省エネモードから明るい画面に移行した後、再び、元の暗い省エネモードの画面に、なるべくユーザに違和感無く戻るように、モード移行処理を制御する技術も必要である。
【０００７】
しかし、特許文献１に記載された従来の技術では、省エネモードの画面と明るい画面との間を、双方向に移行する場合に、次の２点が課題となる。
【０００８】
第１の課題は、省エネルギー化などの目的を達成するために、ユーザに妥協を求めた画面から、すなわち、省エネモードで暗く表示された適切ではない画面から、「必要なとき」だけ、明るい適切な画面に移行しようとするときに、その「必要なとき」を検出する仕組みが無いことである。すなわち、ユーザが、どうしても見たいシーンや、大切なシーンを自動的に検出するシーン検出処理が無い点である。
【０００９】
第２の課題は、明るい適切な画面に移行する場合は、一挙に移行しても差し支えないが、再び通常の適切でない省エネモードの画面に戻る場合には、できるだけユーザに不自然さを感じさせずに、徐々に戻る必要があるにもかかわらず、従来の技術では、移行の最終状態が示されているだけであり、不自然さを感じさせないような移行過程を実現する手段が示されていない点である。
【課題を解決するための手段】
【００１０】
上記で述べた課題を解決するため、本発明に係る画質調整装置は、画像ディスプレイに表示される画像内容に基づいて、第１の輝度の表示様態である省エネモードから前記第１の輝度より高い第２の輝度の表示様態である明表示モードへの移行動作の実行要否と、前記明表示モードから前記省エネモードへの復帰動作の実行要否とを判定する省エネモード移行／復帰判定器と、前記省エネモード移行／復帰判定器により前記移行動作、または、前記復帰動作が実行要と判定された場合に、前記画像ディスプレイのバックライト輝度の時間的変化を制御するバックライト輝度変化時系列制御器とを備えることとしたものである。
【発明の効果】
【００１１】
本発明によれば、明るい画面から省エネモードの暗い画面に移行するモード移行過程において、画質を左右するパラメータである各画質要因が適切な関係を保ちつつ移行するように制御することにより、ユーザに不自然さを感じさせないようなモード移行過程を実現することができるようになるという顕著な効果がある。
【図面の簡単な説明】
【００１２】
【図１】本発明の実施の形態１における画質調整装置の一例を示す構成図である。
【図２】従来技術の映像表示装置を示す構成図である。
【図３】実施の形態１に係る画質調整装置における画質調整処理のフローチャートを示す図である。
【図４】画像ディスプレイ１９から出力される画像の輝度分布の一例を示す図である。
【図５】省エネモード画面から明るい画面への移行／明るい画面から省エネモード画面への復帰におけるバックライト輝度値の変化の過程を示す図である。
【図６】画質要因パラメータ（黒レベル）の評価値が最適値となるパラメータ空間軌道の一例を示す図である。
【符号の説明】
【００１３】
１  画質調整装置、２  周囲照度センサ、３  輝度信号パタン判定器、４  番組ジャンル判定器、５  イベント検出器、６  シーンチェンジ検出器、７  ハイライトシーン検出器、８  ユーザ操作検出器、９  コマーシャル開始・終了検出器、１０  省エネモード移行／復帰判定器、１１  バックライト輝度時系列変化制御器、１２  ガンマカーブ時系列変化制御器、１３  黒レベル時系列変化制御器、１４  コントラスト時系列変化制御器、１５  シャープネス時系列変化制御器、１６  色温度時系列変化制御器、１７  色の濃さ時系列変化制御器、１８  色合い時系列変化制御器、１９  画像ディスプレイ、２０  画質時系列変化制御器。
【発明を実施するための形態】
【００１４】
実施の形態１．
図１は、本発明の実施の形態１における画質調整装置の一例を示す構成図である。
図１において、画質調整装置１は、画像ディスプレイ１９に接続され、画像ディスプレイ１９から出力される種々の画像情報に基づいて、表示すべき画像の画質を調整する。周囲照度センサ２は、画像ディスプレイ１９の周囲の照度を計測する。輝度信号パタン判定器３は、画像ディスプレイ１９から出力される画像の輝度信号から、輝度信号の分布を構成して、その輝度信号パタンを判定する。番組ジャンル判定器４は、画像ディスプレイ１９上に表示されるコンテンツが、テレビ番組である場合に、その番組ジャンルを判定する。
【００１５】
イベント検出器５は、シーンチェンジ検出器６、ハイライトシーン検出器７、ユーザ操作検出器８、コマーシャル開始・終了検出器９によって構成され、これらを制御することにより、画像ディスプレイ１９から出力されるコンテンツ情報を解析して、シーンチェンジ、ハイライトシーン、ユーザ操作、コマーシャルなどのイベントを検出する。
【００１６】
省エネモード移行／復帰判定器１０は、周囲照度センサ２の出力と、輝度信号パタン判定器３、番組ジャンル判定器４、及びイベント検出器５の出力を入力し、省エネモード画面から明るい画面への移行動作の実行可否と、その後の省エネモード画面への復帰動作の実行可否を判定して出力する。
【００１７】
バックライト輝度時系列変化制御器１１は、省エネモード移行／復帰判定器１０の出力を入力し、省エネモード画面から明るい画面への移行、あるいは、明るい画面から省エネモード画面への復帰における、バックライト輝度値の変化の過程を制御する。なお、ここでは、画像の輝度を示すものとして、液晶テレビに用いられるバックライト輝度を例にして説明するが、バックライト輝度時系列変化制御器１１が制御する画像の輝度は、バックライト輝度に限られるものではなく、プラズマテレビや有機ＥＬテレビ、レーザテレビ等の画像の輝度であっても良い。
【００１８】
２０は、画質を決定するパラメータの時系列変化を制御する画質時系列変化制御器であり、各パラメータに対応して、１２から１８の制御器を備える。これらの各制御器には、バックライト輝度時系列変化制御器１１が出力するバックライト輝度の時系列が入力される。ガンマカーブ時系列変化制御器１２は、入力されたバックライト輝度とその変化に適合させながら、ガンマカーブの変化の過程を制御する。黒レベル時系列変化制御器１３は、入力されたバックライト輝度とその変化に適合させながら、黒レベルの変化の過程を制御する。コントラスト時系列変化制御器１４は、入力されたバックライト輝度とその変化に適合させながら、コントラストの変化の過程を制御する。シャープネス時系列変化制御器１５は、入力されたバックライト輝度とその変化に適合させながら、シャープネスの変化の過程を制御する。色温度時系列変化制御器１６は、入力されたバックライト輝度とその変化に適合させながら、色温度の変化の過程を制御する。色の濃さ時系列変化制御器１７は、入力されたバックライト輝度とその変化に適合させながら、色の濃さの変化の過程を制御する。色合い時系列変化制御器１８は、入力されたバックライト輝度とその変化に適合させながら、色合いの変化の過程を制御する。
【００１９】
次に、実施の形態１における画質調整装置の動作について、図３〜図６を適宜参照しながら説明する。
図３は、実施の形態１に係る画質調整装置における画質調整処理のフローチャートを示す図である。
図４は、画像ディスプレイ１９から出力される画像の輝度分布の一例を示す図である。
図５は、省エネモード画面から明るい画面への移行／明るい画面から省エネモード画面への復帰におけるバックライト輝度値の変化の過程を示す図である。
図６は、画質要因パラメータ（黒レベル）の評価値が最適値となるパラメータ空間軌道の一例を示す図である。
【００２０】
まず、図３のステップＳ１０１において、周囲照度センサ２は、画像ディスプレイ１９の周囲の照度を計測し、計測結果を省エネモード移行／復帰判定器１０に出力する。周囲照度センサ２は、一般的に使用されるものであれば、何であっても良い。また、周囲照度センサ２は、常時、計測処理を行なって、計測結果を継続的に省エネモード移行／復帰判定器１０に出力するようにしても良い。
【００２１】
次に、ステップＳ１０２において、輝度信号パタン判定器３は、画像ディスプレイ１９から出力される画像の輝度信号から、輝度信号レベルの分布（輝度分布）を構成して、その輝度信号レベルの分布パタン（輝度分布パタン）を判定する。画像ディスプレイ１９から出力される画像の輝度分布の一例を、図４に示す。図４において、横軸は、輝度信号レベルを表わし、縦軸は、その輝度信号レベルに対応する画素が、画像ディスプレイ１９上に存在する累積画素数を表している。
【００２２】
このような輝度分布の形状特徴に着目することにより、番組制作者側から与えられた画像が、（１）明るい画像なのか、（２）暗い画像なのか、あるいは、（３）明るいところも暗いところも一様にある画像なのか、などの類型に分けることができる。そこで、例えば、最も単純な例として、（１）の場合を輝度分布パタンＡ、（２）の場合を輝度分布パタンＢ、（３）の場合を輝度分布パタンＣとして、それらの輝度分布パタンに対する判定条件を予め定めておき、画像ディスプレイ１９から出力される画像の輝度信号に対して、この判定条件を適用することにより、これらの輝度分布パタンを判定することができる。なお、これらの輝度分布パタンを判定する判定条件を詳細化することにより、更に多種の輝度分布パタンに分類しても良い。図４の例では、輝度信号パタン判定器３は、画像ディスプレイ１９上の画像が、低輝度領域成分を多く持つこと、すなわち、画像内に暗い部分が多く存在する絵であることを判定して、判定結果として、輝度分布パタンＢを出力するものとする。
【００２３】
次に、ステップＳ１０３において、番組ジャンル判定器４は、画像ディスプレイ１９上に表示されるコンテンツが、テレビ番組である場合に、その番組ジャンルを判定する。これは、例えば、放送に伴って送られてくる電子番組表を参照することにより、その番組ジャンルを判定する。
本実施の形態１では、番組ジャンル判定器４は、画像ディスプレイ１９上の番組がスポーツであり、その中でもサッカーであることを判定して出力するものとする。
【００２４】
次に、ステップＳ１０４において、イベント検出器５は、シーンチェンジ検出器６、ハイライトシーン検出器７、ユーザ操作検出器８、コマーシャル開始・終了検出器９を制御することにより、画像ディスプレイ１９から出力されるコンテンツ情報を解析して、シーンチェンジ、ハイライトシーン、ユーザ操作、コマーシャルなどのイベントを検出する。ここでは、例えば、イベント検出器５は、ハイライトシーン検出器８から構成され、画像ディスプレイ１９上のコンテンツのハイライトシーンを検出して出力するものとする。ハイライトシーン検出器７の動作は、例えば、サッカーの場合、音声信号の音量の増大や周波数の上昇、音声に含まれる特定の単語の認識、あるいは、画像に含まれる特定の文字列や記号の認識などから、ハイライトシーンを検出することができる。本実施の形態１では、イベント検出器５は、サッカーのハイライトシーンを検出して出力するものとする。
【００２５】
次に、ステップＳ１０５において、省エネモード移行／復帰判定器１０は、周囲照度センサ２の出力と、輝度信号パタン判定器３、番組ジャンル判定器４、及びイベント検出器５の出力を入力し、省エネモード画面から明るい画面への移行タイミングと、その後の省エネモード画面への復帰タイミングを判定して出力する。
【００２６】
本実施の形態１では、例えば、省エネモード移行／復帰判定器１０は、輝度信号パタン判定器３、番組ジャンル判定器４、及び、イベント検出器５の各出力に対して、省エネモードから明るい場面へ移行する判定条件（移行判定条件）を予め定義しておき、この移行判定条件により、移行する／しないの判定を行なうものとする。
【００２７】
移行判定条件は、例えば、輝度信号パタン判定器３、番組ジャンル判定器４、及び、イベント検出器５の各出力の論理積として、「（輝度分布パタンが、Ｂである。）、かつ、（番組ジャンルが、サッカーである。）、かつ、（イベントが、ハイライトシーンである。）」という条件を満たす場合、省エネモードから明るい場面への移行を判定するものとする。このことは、サッカーの番組がハイライトシーンになったとき、しかも、そのときの画像に暗い部分が多いときに、省エネモードを止めて、明るい画面で番組を見るということを意味する。
【００２８】
このようにして、省エネモード移行／復帰判定器１０は、明るい場面への移行と、その後の再度の省エネモードへの復帰、及び、それらの移行過程と復帰過程について、周囲照度センサ２によって計測された画像ディスプレイ１９の周囲の明るさに適合させて判定する。判定した結果、明るい画面に移行、または、省エネモードに復帰する場合は、ステップＳ１０６へ処理が進み、それ以外の場合は、ステップＳ１０１に戻る。
【００２９】
次に、ステップＳ１０６において、バックライト輝度時系列変化制御器１１は、省エネモード移行／復帰判定器１０の出力を入力し、省エネモード画面から明るい画面への移行、あるいは、明るい画面から省エネモード画面への復帰における、バックライト輝度値の変化の過程を制御する。
【００３０】
これらの移行と復帰の具体的なバックライト輝度値の変化の過程を、図５に示す。図５では、時刻Ｔ１に、例えば、サッカーの番組がハイライトシーンになったときに、イベント検出器５により、イベントを検出した様子を表わしている。このとき、輝度信号パタン判定器３により、そのときの画像に暗い部分が多い（輝度分布パタンＢ）と判定された場合、省エネモード移行／復帰判定器１０は、省エネモードから明るい場面への移行を判定し、一挙に、省エネモードから明るい画面に移行する。すなわち、バックライト輝度を一挙に明るくする。そして、一定時間、明るい画像を維持した後、バックライト輝度値を徐々に下げて、最終的には、元の省エネモードの画面に復帰させる。この一定時間は、固定の時間を設定することも可能であるし、前記イベントが検出され続けている時間を設定することも可能である。
【００３１】
このような省エネモード画面から明るい画面への移行過程、あるいは、明るい画面から省エネモード画面への復帰過程においては、視聴しているユーザにとって、画質の変化に対する不自然さを与えないように、画質を左右するパラメータ（画質要因パラメータ）を制御する。このような画質の制御は、バックライト輝度時系列変化制御器１１が出力するバックライト輝度の時系列に基づいて、画質要因パラメータに関わる１２から１８までの各制御器（画質時系列変化制御器２０）によって行なわれ、次のように動作する。
【００３２】
ガンマカーブ時系列変化制御器１２は、入力されたバックライト輝度とその変化に適合させながら、ガンマカーブの変化の過程を制御する。黒レベル時系列変化制御器１３は、入力されたバックライト輝度とその変化に適合させながら、黒レベルの変化の過程を制御する。コントラスト時系列変化制御器１４は、入力されたバックライト輝度とその変化に適合させながら、コントラストの変化の過程を制御する。シャープネス時系列変化制御器１５は、入力されたバックライト輝度とその変化に適合させながら、シャープネスの変化の過程を制御する。色温度時系列変化制御器１６は、入力されたバックライト輝度とその変化に適合させながら、色温度の変化の過程を制御する。色の濃さ時系列変化制御器１７は、入力されたバックライト輝度とその変化に適合させながら、色の濃さの変化の過程を制御する。色合い時系列変化制御器１８は、入力されたバックライト輝度とその変化に適合させながら、色合いの変化の過程を制御する。
【００３３】
本実施の形態１では、バックライト輝度の変化に合わせて、各画質要因を次のように制御することとする。バックライト輝度が明るいときには、ガンマカーブは自然なものとし、黒レベルは沈ませ、コントラストやシャープネス、色温度、色の濃さ、色合いも自然なものとする。これに対し、省エネモードによりバックライト輝度が暗くなるに従って、ガンマカーブは中間輝度領域で立ち上がりが急なエスカーブになり、黒レベルは沈ませ方を浅くし、コントラストやシャープネスは強めていき、すなわちメリハリを付けていき、色温度は低め、すなわち、赤みを帯びる側に寄っていき、色の濃さは、黒レベル上昇による色あせを補償するために濃さを強め、そして、色合いは変化させないという制御を行なうこととする。
【００３４】
以上のように、この発明による画質調整装置は、バックライト輝度の変化に応じて、各画質要因パラメータを協調させて変化させ、しかも、変化の過程においても、常に、その協調性が保たれるように変化させるものである。このような各画質要因パラメータに対する制御動作は、バックライト輝度が変化する過程、例えば、図５のような変化過程における、各画質要因パラメータの評価値の分布を、予め実験により明らかにしておくことにより実現される。すなわち、バックライト輝度の各値に対し、画質要因パラメータの各値が、どれだけ観視者（ユーザ）にとって望ましいものかという評価値の分布データを画質要因パラメータ評価基準として備えておき、この分布データに基づいて、実行時には、バックライト輝度の変化を独立変数として、各画質要因パラメータの評価値が、常に、最適値を保つように、画質要因パラメータの値を従属変数として与えるように決定する。
【００３５】
このような制御動作の具体例として、黒レベルの各値の評価値を例に取り、図６を参照しながら説明する。図６は、画質要因パラメータ（黒レベル）の評価値が最適値となるパラメータ空間軌道の一例を示すものである。図６では、横軸にバックライト輝度値を取り、縦軸に黒レベル値を取り、その直積空間において観視者にとっての好ましさが評価値として等高線で表されている。この等高線は、光学的、その他の条件が統制された実験環境における被験者を用いた実験により取得することが可能である。そして、例えば、図５のように、バックライト輝度値が変化するときに、それに応じて、図６のバックライト輝度値が変化し、その過程で、常に、上記等高線の最大値を取るように、黒レベル値を変化させる。このとき描かれる軌跡が、最適黒レベル値曲線である。上記の協調的な画質要因パラメータ制御では、各画質要因パラメータに対応して、図６の最適黒レベル値曲線に相当する最適値曲線が画質要因パラメータ評価基準として求められており、これらの最適値曲線に基づいて、各画質要因パラメータの変化を協調的に制御することができる。
【００３６】
なお、上記の説明では、評価値は、画質に対する所望の度合いが高いほど高い値をとるものとして説明したが、逆に、これが画質に対する不満の度合いが高いほど高い値をとる場合には、上記最適曲線は、バックライト輝度の変化に応じて常に最小値を取るように描かれる。
【００３７】
また、上述の説明では、画質要因パラメータ値は、バックライト輝度値のみにより決定されるものとして説明したが、バックライト輝度以外に、複数の画質要因パラメータを協調させて変化させても良い。この場合には、各画質要因パラメータ値は、それ以外の画質要因パラメータ値とバックライト輝度値により決定されるように設計することにより、さらなる有効な効果が得られる。
【００３８】
また、  以上の説明は、本発明による画質調整装置を、省エネモードによる画質と、それ以外のモードによる画質との移行および復帰への応用として説明したが、この発明は、必ずしもこの応用に留まることは無く、その他の画質モード間の移行と復帰、さらに一般的には、2つ、あるいはそれ以上の異なる画質間の移行および復帰に応用が可能である。
【００３９】
最後に、ステップＳ１０７において、省エネモード移行／復帰判定器１０は、画質調整処理を終了するか否かを判定し、終了しない場合は、ステップＳ１０１へ戻る。終了する場合は、一連の画質調整処理を終了する。
【００４０】
以上のように、実施の形態１によれば、明るい画面から省エネモードの暗い画面に移行するモード移行過程において、画質を左右するパラメータである各画質要因が適切な関係を保ちつつ移行するように制御することにより、ユーザに不自然さを感じさせないようなモード移行過程を実現することができるようになるという顕著な効果がある。
【図１】
2011013422.tif 000003
【図２】
2011013422.tif 000004
【図３】
2011013422.tif 000005
【図４】
2011013422.tif 000006
【図５】
2011013422.tif 000007
【図６】
2011013422.tif 000008